(57)【要約】      （修正有）【課題】ドライバーヘッドを交換可能なツールチャックを提供する。【解決手段】チャック本体１０は、取付け孔１１、貫通孔、スライド溝１４及びリング状溝を有し、可動筒部２０は、該チャック本体の外側に設けられ、Ｃ字形リング３０は、該リング状溝に設けられ、第１ワッシャは、該可動筒部の階段状内面に位置され、第２ワッシャ４１と第３ワッシャ４２は、夫々該Ｃ字形リングの両側に位置され、小型ボールは、該チャック本体の貫通孔に設置されると共に、該可動筒部の階段状前部２２に位置され、位置決めリング６０と第１弾性部材７０は、夫々該チャック本体の外周面に設置され、第１弾性部材は、該位置決めリングと第２ワッシャに位置決めされ、複数の大型ボールは、該チャック本体のスライド溝に設置されると共に、該第１ワッシャ４０と該位置決めリングによって位置決めされ、第２弾性部材９０は、該チャック本体の外周面に設置され、該第３ワッシャと該可動筒部の階段状後部との間に位置される。【選択図】図３ａ
0003150312.tif 000002
【実用新案登録請求の範囲】
【請求項１】
チャック本体と、可動筒部と、Ｃ字形リングと、第１ワッシャと、第２ワッシャと、第３ワッシャと、小型ボールと、位置決めリングと、第１弾性部材と、複数の大型ボールと、第２弾性部材と、を備える、ドライバーのヘッドを交換可能なツールチャックであって、
該チャック本体は、前端面に開設される取付け孔と、外周面から該取付け孔と連通すると共に、該前端面と接近する貫通孔と、該外周面から該取付け孔と連通する複数のスライド溝と、中段部位に設けられるリング状溝とを有し、
該可動筒部は、該チャック本体の外側に設けられると共に、貫通孔、階段状前部、階段状後部及び階段状内面を有し、該階段状前部の内径が該貫通孔の内径より大きく、該階段状内面と階段状後部の内径が等しいと共に、該階段状前部の内径より大きく、
該Ｃ字形リングは、該チャック本体のリング状溝に配設され、
該第１ワッシャと第２ワッシャと第３ワッシャは、夫々該可動筒部の貫通孔に挿入すると共に、該チャック本体に設けられ、該第１ワッシャは、該可動筒部の階段状内面に位置され、該第２ワッシャと第３ワッシャは、夫々該Ｃ字形リングの両側に位置され、
該小型ボールは、該チャック本体の貫通孔に設置されると共に、該可動筒部の階段状前部に位置され、
該位置決めリングと該第１弾性部材は、夫々該チャック本体の外周面に設置され、該第１弾性部材は、該位置決めリングと該第２ワッシャによって位置決めされ、
該複数の大型ボールは、夫々該チャック本体のスライド溝に設置されると共に、該第１ワッシャと該位置決めリングによって位置決めされ、
該第２弾性部材は、該チャック本体の外周面に設置されると共に、該第３ワッシャと該可動筒部の階段状後部との間に位置されることを特徴とする、ドライバーのヘッドを交換可能なツールチャック。
【請求項２】
前記可動筒部は、更に錐状内面を含み、該錐状内面は、該階段状前部と隣接され、該小型ボールは、該錐状内面と接触することを特徴とする、請求項１に記載のドライバーヘッドを交換可能なツールチャック。
【請求項３】
前記第１弾性部材は、スプリングであることを特徴とする、請求項１に記載のドライバーヘッドを交換可能なツールチャック。
【請求項４】
前記第２弾性部材は、スプリングであることを特徴とする、請求項１に記載のドライバーヘッドを交換可能なツールチャック。
【請求項５】
前記位置決めリングは、傾斜状内面を有し、該傾斜状内面は大型ボールと接触することができることを特徴とする、請求項１に記載のドライバーヘッドを交換可能なツールチャック。
【請求項６】
前記チャック本体のスライド溝は、係止前端と係止後端を有し、該大型ボールは、該可動筒部の移動に伴い、夫々該係止前端と係止後端に係止することができることを特徴とする、請求項１に記載のドライバーヘッドを交換可能なツールチャック。
【請求項７】
前記チャック本体の取付け孔は、形状が六角形であることを特徴とする、請求項１に記載のドライバーヘッドを交換可能なツールチャック。
【考案の詳細な説明】
【技術分野】
【０００１】
本考案は、特に簡単、快速に操作できると共に、構造が簡単である、ドライバーヘッドを交換可能なツールチャックに関するものである。
【背景技術】
【０００２】
従来のツールチャックは、チャック本体と、ハンドルである取手部とを有し、形状が異なるドライバーヘッド、例えば、六角形、マイナス、プラスや四方形ドライバーヘッドなどのドライバーヘッドを、使用の必要に応じて交換することができるようになっている。
【０００３】
また、従来のツールチャックは、ドライバーヘッドの交換に用いられ、該交換方式は、ドライバーヘッドを直接に該ツールチャックに挿入するように行われている。取り出す際には、該ドライバーヘッドを該ツールチャックから直接に引き抜ければよい。
【０００４】
前記従来のツールチャックの取付け方式では、チャック本体の取付け孔とドライバーヘッドの外径とを緊密に結合することにより、その取付け効果が得られる。しかし、このような取付け方式では、該ドライバーヘッドの打撃等により、ドライバーヘッドが更に取付け孔の奥へ進む可能性があるため、該ドライバーヘッドを取り出す場合は、大きな力を要し、しかもペンチなど工具を使用する必要もあるので、非常に面倒である。
【考案の概要】
【考案が解決しようとする課題】
【０００５】
そこで、案出されたのが本考案であって、簡単、快速に操作できると共に、構造が簡単である、ドライバーヘッドを交換可能なツールチャックを提供することを目的としている。
【課題を解決するための手段】
【０００６】
上記課題を解決するために、本考案に係るドライバーヘッドを交換可能なツールチャックは、構造簡単や操作便利の特徴を有し、チャック本体と、可動筒部と、Ｃ字形リングと、第１ワッシャと、第２ワッシャと、第３ワッシャと、小型ボールと、位置決めリングと、第１弾性部材と、複数の大型ボールと、第２弾性部材とを備える。
【０００７】
該チャック本体は、前端面における取付け孔と、外周面から該取付け孔と連通すると共に、該前端面と接近する貫通孔と、該外周面から該取付け孔と連通する複数のスライド溝と、中段部位におけるリング状溝とを有する。
【０００８】
該可動筒部は、該チャック本体の外側に設けられると共に、貫通孔、階段状前部、階段状後部及び階段状内面を有し、該階段状前部の内径が該貫通孔の内径より大きく、該階段状内面と階段状後部の内径が等しいと共に、該階段状前部の内径より大きい。
【０００９】
該Ｃ字形リングは、該チャック本体におけるリング状溝に設けられる。
該第１ワッシャと第２ワッシャと第３ワッシャは、夫々該可動筒部の貫通孔に挿入すると共に、該チャック本体に設けられ、該第１ワッシャは、該可動筒部の階段状内面に位置され、該第２ワッシャと第３ワッシャは、夫々該Ｃ字形リングの両側に位置される。
【００１０】
該小型ボールは、該チャック本体の貫通孔に設置されると共に、該可動筒部の階段状前部に位置される。
該位置決めリングと第１弾性部材は、夫々該筒本体の外周面に設置され、該第１弾性部材は、該位置決めリングと第２ワッシャによって位置決めされる。
【００１１】
該複数の大型ボールは、夫々該チャック本体のスライド溝に設置されると共に、該第１ワッシャと該位置決めリングによって位置決めされる。
【００１２】
該第２弾性部材は、該チャック本体の外周面に設置されると共に、該第３ワッシャと該可動筒部の階段状後部との間に位置される。
【００１３】
又、前記可動筒部は、更に錐状内面を含み、該錐状内面は、該階段状前部と隣接され、ドライバーヘッドを設置した状態で、該小型ボールは、該錐状内面と接触する。
【００１４】
前記チャック本体の第１弾性部材は、スプリングであり、該第２弾性部材もスプリングである。該位置決めリングは、傾斜状内面を有し、該傾斜状内面は大型ボールと接触することができる。
【００１５】
前記チャック本体のスライド溝は、係止前端と係止後端を有し、該大型ボールは、該可動筒部の移動に伴い、夫々該係止前端と係止後端に係止することができる。
【００１６】
前記チャック本体の取付け孔は、六角形、五角形又は四方形の何れかの一つの形状である。下記実施例に示したのは、取付け孔が六角形である。
【考案の効果】
【００１７】
本考案によれば、可動筒部をスライド自在に移動することにより、簡単且つ便利にドライバーヘッドを交換することができ、且つ構造が簡単であるので、使用上非常に便利であるという効果を奏する。
【図面の簡単な説明】
【００１８】
【図１】本考案に係るドライバーヘッドを交換可能なツールチャックの第１実施例を示す斜視図である。
【図２】本考案に係るドライバーヘッドを交換可能なツールチャックの第１実施例を示す分解斜視図である。
【図３ａ】本考案に係るドライバーヘッドを交換可能なツールチャックにおいて、ドライバーヘッドの設置状態を示す断面図である。
【図３ｂ】本考案に係るドライバーヘッドを交換可能なツールチャックにおいて、ドライバーヘッドの他の設置状態を示す断面図である。
【図４ａ】本考案に係るドライバーヘッドを交換可能なツールチャックにおいて、ドライバーヘッドの取外し状態を示す断面図である。
【図４ｂ】本考案に係るドライバーヘッドを交換可能なツールチャックにおいて、ドライバーヘッドの他の取外し状態を示す断面図である。
【図５】本考案に係るドライバーヘッドを交換可能なツールチャックを電動工具に設置する状態を示す側面図である。
【考案を実施するための形態】
【００１９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２０】
図１及び図２に示すように、本考案に係るドライバーヘッドを交換可能なツールチャック（１００）は、チャック本体（１０）と、可動筒部（２０）と、Ｃ字形リング（３０）と、第１ワッシャ（４０）と、第２ワッシャ（４１）と、第３ワッシャ（４２）と、小型ボール（５０）と、位置決めリング（６０）と、第１弾性部材（７０）と、複数の大型ボール（８０）と、第２弾性部材（９０）と、を備える。
【００２１】
該チャック本体（１０）は、前端面における取付け孔（１１）と、外周面（１２）から該取付け孔（１１）と連通すると共に、該前端面と接近する貫通孔（１３）と、該外周面（１２）から該取付け孔（１１）と連通する複数のスライド溝（１４）と、中段部位におけるリング状溝（１５）と、後端部（１６）を有する。本実施例において、該チャック本体（１０）は、該後端部（１６）によって、取手部（ハンドル）（１０１）と連結される。
【００２２】
図３ａ及び図３ｂに示すように、該可動筒部（２０）は、該チャック本体（１０）の外側に設けられると共に、貫通孔（２１）、階段状前部（２２）、階段状後部（２３）、階段状内面（２４）及び錐状内面（２５）を有し、該階段状前部（２２）の内径が該貫通孔（２１）の内径より大きく、該階段状内面（２４）と階段状後部（２３）の内径が等しいと共に、該階段状前部（２２）の内径より大きく、該錐状内面（２５）は、該階段状前部（２２）と隣接される。
【００２３】
該Ｃ字形リング（３０）は、該チャック本体（１０）におけるリング状溝（１５）に設けられる。
該第１ワッシャ（４０）と第２ワッシャ（４１）と第３ワッシャ（４２）は、夫々該可動筒部（２０）の貫通孔（２１）に挿入すると共に、該チャック本体（１０）に設けられる。該第１ワッシャ（４０）は、該可動筒部（２０）の階段状内面（２４）に位置され、該第２ワッシャ（４１）と第３ワッシャ（４２）は、夫々該Ｃ字形リング（３０）の両側に位置される。
【００２４】
該小型ボール（５０）は、該チャック本体（１０）の貫通孔（１３）に設置される。該小型ボール（５０）は、該錐状内面（２５）と接触されると共に、該可動筒部（２０）の階段状前部（２２）に位置される。また、該位置決めリング（６０）と第１弾性部材（７０）は、夫々該チャック本体（１０）の外周面に設置され、該第１弾性部材（７０）は、該位置決めリング（６０）と第２ワッシャ（４２）によって位置決めされる。該位置決めリング（６０）は、傾斜状内面（６１）を有し、該傾斜状内面（６１）は、該大型ボール（８０）と接触することができる。
【００２５】
該複数の大型ボール（８０）は、夫々該チャック本体（１０）のスライド溝（１４）に設置されると共に、該第１ワッシャ（４０）と該位置決めリング（６０）によって位置決めされる。
【００２６】
該第２弾性部材（９０）は、該チャック本体（１０）の外周面に設置されると共に、該第３ワッシャ（４２）と該可動筒部（２０）の階段状後部（２３）との間に位置される。
【００２７】
本実施例において、該第１弾性部材（７０）と第２弾性部材（９０）は、スプリングであり、且つ該第１弾性部材（７０）のワイヤの断面積は、該第２弾性部材（９０）のワイヤの断面積より小さい。故に、該第２弾性部材（９０）の弾性力は、該第１弾性部材（７０）の弾性力より大きい。
【００２８】
又、該チャック本体（１０）におけるスライド溝（１４）は、係止前端（１４１）と係止後端（１４２）を有し、該大型ボール（８０）は、該可動筒部（２０）の移動に伴い、夫々該係止前端（１４１）と係止後端（１４２）に係止することができる。
【００２９】
該チャック本体（１０）における取付け孔（１１）は、六角形、五角形又は四方形の何れかの一つの形状である。下記実施例に示したのは、六角形の孔である。
【００３０】
図３ａ及び図３ｂに示すように、ドライバーヘッド（２００）を設置する場合、該ドライバーヘッド（２００）をチャック本体（１０）の取付け孔（１１）に挿入すると共に、スライド溝（１４）に挿入すると、該ドライバーヘッド（２００）が矢印（Ａ）方向に沿って大型ボール（８０）を押圧し、該大型ボール（８０）が該スライド溝（１４）の係止後端（１４２）に位置決められ、そして貫通孔（１３）における小型ボール（５０）が該ドライバーヘッド（２００）のリング状溝（２１０）に位置されると共に、係止状態になることにより、ドライバーヘッド（２００）を位置決めることができる。この時、該小型ボール（５０）は、該錐状内面（２５）の圧迫によって該可動筒部（２０）の階段状前部（２２）に係止することができる。
【００３１】
図４ａ及び図４ｂに示すように、該ドライバーヘッド（２００）をチャック本体（１０）から取り出そうとする場合、該可動筒部（２０）を矢印（Ｂ）に沿って移動し、該錐状内面（２５）も移動することにより、該小型ボール（５０）が錐状内面（２５）から離脱し、そして該小型ボール（５０）も該ドライバーヘッド（２００）のリング状溝（２１０）から離脱することにより、該ドライバーヘッド（２００）をチャック本体（１０）の取付け孔（１１）から取り出すことができる。ドライバーヘッド（２００）を取り出した後、該大型ボール（８０）も釈放され、該第１弾性部材（７０）と第２弾性部材（９０）の弾性力で該大型ボール（８０）を該スライド溝（１４）の係止前端（１４１）に移動しながら位置決めることができる。
【００３２】
上述のように、本考案に係わるドライバーヘッドを交換可能なツールチャック（１００）は、構造簡単で、操作便利にドライバーヘッド（２００）を着脱することができるので、使用上非常に便利である。
【００３３】
図５に示すように、本考案に係わるドライバーヘッドを交換可能なツールチャック（１００）は、該チャック本体（１０）の後端部（１６）によって電動工具に装着することができ、使用上更に便利である。
【符号の説明】
【００３４】
１００      ツールチャック
１０        チャック本体
１１        取付け孔
１２        外周面
１３        貫通孔
１４        スライド溝
１４１      係止前端
１４２      係止後端
１５        リング状溝
１６        後端部
２０        可動筒部
２１        貫通孔
２２        階段状前部
２３        階段状後部
２４        階段状内面
２５        錐状内面
３０        Ｃ字形リング
４０        第１ワッシャ
４１        第２ワッシャ
４２        第３ワッシャ
５０        小型ボール
６０        位置決めリング
６１        傾斜状内面
７０        第１弾性部材
８０        大型ボール
９０        第２弾性部材
１０１      取手部
２００      ドライバーヘッド
２１０      リング状溝
３００      電動工具
【図１】
0003150312.tif 000003
【図２】
0003150312.tif 000004
【図３ａ】
0003150312.tif 000005
【図３ｂ】
0003150312.tif 000006
【図４ａ】
0003150312.tif 000007
【図４ｂ】
0003150312.tif 000008
【図５】
0003150312.tif 000009